(57)【要約】【課題】例えば表示画面の狭い携帯端末機器であっても面倒な操作を要することなく、Ｗｅｂページの各ページを簡単に且つ順序よく切り換えて表示させることが可能になるＷｅｂページ閲覧装置を提供する。【解決手段】キー入力部１６における「進む」キーの１回操作に応じて、表示部１７に現在表示中のＷｅｂページのＨＴＭＬファイル（１５ｂ）に記述されている「次」などの文字列が、次ページリンクサーチ用キーワード文字列（１５ｄ）に基づき検索される共に、当該検索されたキーワード文字列「次」にリンク付けされたＵＲＬが次ページのＵＲＬとして抽出（１５ｇ）される。そして、この抽出ＵＲＬに応じて接続されたＷｅｂサーバ２０から当該ＵＲＬに対応したＷｅｂページのＨＴＭＬファイルが取得され現在表示ページの次のＷｅｂページとして表示される。【選択図】図１
2007011765.tif 000002
【特許請求の範囲】
【請求項１】
ネットワーク上のＷｅｂサーバからマークアップ言語で記述されたファイルを取得して表示するＷｅｂページ閲覧装置であって、
表示中のＷｅｂページについての前記マークアップ言語で記述されたファイルから特定の文字列を検索し、当該特定の文字列に対応して記述されたリンク先ＵＲＬを抽出する特定リンク先ＵＲＬ抽出手段と、
所定の操作がなされることに応じて、前記特定リンク先ＵＲＬ抽出手段により抽出されたＵＲＬが示すＷｅｂページの表示を行う次ページ表示手段と、
を備えたことを特徴とするＷｅｂページ閲覧装置。
【請求項２】
前記特定リンク先ＵＲＬ抽出手段により複数のＵＲＬが抽出された場合に、現在表示されているページのＵＲＬとの関係に基づき１つのＵＲＬを選択するＵＲＬ選択手段を備え、
前記次ページ表示手段は、前記特定リンク先ＵＲＬ抽出手段により抽出された１つのＵＲＬまたは前記ＵＲＬ選択手段により選択された１つのＵＲＬが示すＷｅｂページを表示することを特徴とする請求項１に記載のＷｅｂページ閲覧装置。
【請求項３】
前記特定リンク先ＵＲＬ抽出手段は、
次ページを示す文字列を前記ファイルから検索する次ページ検索手段と、この次ページ検索手段が対象となる文字列を抽出しなかった場合に目次ページを示す文字列を検索する目次ページ検索手段とを備えたことを特徴とする請求項１に記載のＷｅｂページ閲覧装置。
【請求項４】
ユーザ操作に応じてＷｅｂページを表示した際の当該ＷｅｂページのＵＲＬをそのユーザ操作方法と対応付けて順次記憶するページ操作履歴記憶手段と、
前記特定リンク先ＵＲＬ抽出手段が次ぎに表示すべきＷｅｂページのＵＲＬを抽出しない場合に、前記ページ操作履歴記憶手段により記憶されたユーザ操作方法に基づいて１つのＵＲＬを選択する過去表示ＵＲＬ選択手段とを備えたことを特徴とする請求項１に記載のＷｅｂページ閲覧装置。
【請求項５】
ネットワーク上のＷｅｂサーバからマークアップ言語で記述されたファイルを取得して表示するＷｅｂページ閲覧装置であって、
現在表示中のＷｅｂページのファイルから当該ページの順序性を示すキーワードの文字列を抽出する現在ページキーワード文字列抽出手段と、
現在表示中のＷｅｂページのファイルに記述されているリンク先のＵＲＬを抽出するリンク先ＵＲＬ抽出手段と、
このリンク先ＵＲＬ抽出手段により抽出されたＵＲＬに対応するＷｅｂページのファイルを前記ネットワーク上のＷｅｂサーバから先読みするファイル先読み手段と、
このファイル先読み手段により先読みされたリンク先ページのファイルから当該ページの順序性を示すキーワードの文字列を抽出する先読みページキーワード文字列抽出手段と、
前記現在ページキーワード文字列抽出手段により抽出された現在表示ページの順序性を示すキーワードの文字列と前記先読みページキーワード文字列抽出手段により抽出されたリンク先ページの順序性を示すキーワードの文字列との関連の有無を判断する関連性判断手段と、
この関連性判断手段により現在表示ページの順序性を示すキーワードの文字列とリンク先ページの順序性を示すキーワードの文字列との関連が有ると判断された場合は、前記リンク先ＵＲＬ抽出手段により抽出されたＵＲＬを次に表示するページのＵＲＬとして決定する次ページＵＲＬ決定手段と、
を備えたことを特徴とするＷｅｂページ閲覧装置。
【請求項６】
ネットワーク上のＷｅｂサーバからマークアップ言語で記述されたファイルを取得し表示するＷｅｂページ閲覧装置であって、
現在表示中のＷｅｂページのＵＲＬにおけるファイル名を修正するＵＲＬ修正手段と、
このＵＲＬ修正手段により修正されたＵＲＬに対応するＷｅｂページのファイルを前記ネットワーク上のＷｅｂサーバから先読みするファイル先読み手段と、
このファイル先読み手段により先読みされたＷｅｂページのＵＲＬと前記現在表示中のＷｅｂページのＵＲＬとの順序性を示す関連の有無を判断する関連性判断手段と、
この関連性判断手段により前記先読みされたＷｅｂページのＵＲＬと前記現在表示中のＷｅｂページのＵＲＬとの順序性を示す関連が有ると判断された場合は、前記ＵＲＬ修正手段により修正されたＵＲＬを次に表示するＷｅｂページのＵＲＬとして決定する次ページＵＲＬ決定手段と、
を備えたことを特徴とするＷｅｂページ閲覧装置。
【請求項７】
コンピュータによって、ネットワーク上のＷｅｂサーバからマークアップ言語で記述されたファイルを取得して表示させるためのＷｅｂページ閲覧方法であって、
前記コンピュータにより、
表示中のＷｅｂページについての前記マークアップ言語で記述されたファイルから特定の文字列を検索し、当該特定の文字列に対応して記述されたリンク先ＵＲＬを抽出する特定リンク先ＵＲＬ抽出ステップと、
所定のユーザ操作に応じて、前記特定リンク先ＵＲＬ抽出ステップにて抽出されたＵＲＬが示すＷｅｂページの表示を行う次ページ表示ステップと、
からなることを特徴とするＷｅｂページ閲覧方法。
【請求項８】
コンピュータによって、ネットワーク上のＷｅｂサーバからマークアップ言語で記述されたファイルを取得して表示させるためのＷｅｂページ閲覧方法であって、
前記コンピュータにより、
現在表示中のＷｅｂページのファイルから当該ページの順序性を示すキーワードの文字列を抽出する現在ページキーワード文字列抽出ステップと、
現在表示中のＷｅｂページのファイルに記述されているリンク先のＵＲＬを抽出するリンク先ＵＲＬ抽出ステップと、
このリンク先ＵＲＬ抽出ステップにて抽出されたＵＲＬに対応するＷｅｂページのファイルを前記ネットワーク上のＷｅｂサーバから先読みするファイル先読みステップと、
このファイル先読みステップにて先読みされたリンク先ページのファイルから当該ページの順序性を示すキーワードの文字列を抽出する先読みページキーワード文字列抽出ステップと、
前記現在ページキーワード文字列抽出ステップにて抽出された現在表示ページの順序性を示すキーワードの文字列と前記先読みページキーワード文字列抽出ステップにて抽出されたリンク先ページの順序性を示すキーワードの文字列との関連の有無を判断する関連性判断ステップと、
この関連性判断ステップにて現在表示ページの順序性を示すキーワードの文字列とリンク先ページの順序性を示すキーワードの文字列との関連が有ると判断された場合は、前記リンク先ＵＲＬ抽出ステップにて抽出されたＵＲＬを次に表示するページのＵＲＬとして決定する次ページＵＲＬ決定ステップと、
からなることを特徴とするＷｅｂページ閲覧方法。
【請求項９】
コンピュータによって、ネットワーク上のＷｅｂサーバからマークアップ言語で記述されたファイルを取得して表示させるためのＷｅｂページ閲覧処理プログラムであって、
前記コンピュータを、
表示中のＷｅｂページについての前記マークアップ言語で記述されたファイルから特定の文字列を検索し、当該特定の文字列に対応して記述されたリンク先ＵＲＬを抽出する特定リンク先ＵＲＬ抽出手段、
所定のユーザ操作に応じて、前記特定リンク先ＵＲＬ抽出手段により抽出されたＵＲＬが示すＷｅｂページの表示を行わせる次ページ表示制御手段、
として機能させるようにしたコンピュータ読み込み可能なＷｅｂページ閲覧処理プログラム。
【請求項１０】
コンピュータによって、ネットワーク上のＷｅｂサーバからマークアップ言語で記述されたファイルを取得して表示させるためのＷｅｂページ閲覧処理プログラムであって、
前記コンピュータを、
現在表示中のＷｅｂページのファイルから当該ページの順序性を示すキーワードの文字列を抽出する現在ページキーワード文字列抽出手段、
現在表示中のＷｅｂページのファイルに記述されているリンク先のＵＲＬを抽出するリンク先ＵＲＬ抽出手段、
このリンク先ＵＲＬ抽出手段により抽出されたＵＲＬに対応するＷｅｂページのファイルを前記ネットワーク上のＷｅｂサーバから先読みするファイル先読み手段、
このファイル先読み手段により先読みされたリンク先ページのファイルから当該ページの順序性を示すキーワードの文字列を抽出する先読みページキーワード文字列抽出手段、
前記現在ページキーワード文字列抽出手段により抽出された現在表示ページの順序性を示すキーワードの文字列と前記先読みページキーワード文字列抽出手段により抽出されたリンク先ページの順序性を示すキーワードの文字列との関連の有無を判断する関連性判断手段、
この関連性判断手段により現在表示ページの順序性を示すキーワードの文字列とリンク先ページの順序性を示すキーワードの文字列との関連が有ると判断された場合は、前記リンク先ＵＲＬ抽出手段により抽出されたＵＲＬを次に表示するページのＵＲＬとして決定する次ページＵＲＬ決定手段、
として機能させるようにしたコンピュータ読み込み可能なＷｅｂページ閲覧処理プログラム。
【発明の詳細な説明】
【技術分野】
【０００１】
本発明は、Ｗｅｂサーバが提供するＷｅｂページを効率的に表示させるためのＷｅｂページ閲覧装置、Ｗｅｂページ閲覧方法、およびＷｅｂページ閲覧処理プログラムに関する。
【背景技術】
【０００２】
一般に、携帯電話やＰＣ(Personal Computer)でのＷｅｂブラウザでは、アクセスしたいＵＲＬ(Uniform Resource Locators)を直接入力するか、事前にブックマークに登録しておいたＵＲＬを呼び出すことで、当該ＵＲＬに対応するＷｅｂサーバに接続すると共にＨＴＭＬファイルを取得し、文章や画像からなるＷｅｂページの表示を行っている。
【０００３】
それ以外にも、表示されているＷｅｂページの中において、次のＷｅｂページの場所を指定しているＵＲＬのリンク付けられた文字列に対しアンダーバーなどを表示したり、文字色を変えたりするなどして他の文字列との区別を行い、このリンク付きの文字列をマウスなどでクリックすることで、次のＷｅｂページの表示を行うためのＨＴＭＬファイルを取得している。
【０００４】
また、Ｗｅｂブラウザの機能として、「戻る」「進む」のボタンが用意されているが、これらは直前に表示していたＷｅｂページのＨＴＭＬファイルを取得して表示させる機能であり、接続履歴として残してあるＵＲＬの記録を元にして前後Ｗｅｂページの表示を行うものである。
【０００５】
近年のＷｅｂページでは、例えばレビュー記事、入門書、日記のページ、検索サイトの検索結果、ショップサイトでの商品一覧など、個々のＷｅｂページとしては情報量が大きくなり１ページでは表示しきれないため、複数のページに渡って構成されるものが増えている。
【０００６】
このため、次のＷｅｂページの内容に切り換えて表示させる際には、現在表示中のページのどこかにある「次ページへ」などと記載されているリンクボタンをスクロール表示などにより見つけてそれをクリックし、ページの移動を行うという繁雑な操作が必要になっている。
【０００７】
特に、携帯電話やＰＤＡ(Personal Digital Assistant)といった表示画面の狭い携帯端末機器では、Ｗｅｂページを閲覧するのに多くのスクロール操作を必要とし、しかも全ての操作が片手でできることが望ましいが、このような場合は現ページ上のリンクボタンを探すための長いスクロール操作と当該リンクボタンを探してポイントで指示しクリックする操作とからなる面倒な操作を余儀なくされている。
【０００８】
一方で、携帯端末に記憶させた大量の情報を順次読み出して表示させるために「進む」キーを設けておき、この「進む」キーを繰り返し操作するだけで、前記記憶された情報の順送り表示が簡単にできるようにした携帯用情報収集機器が考えられている（例えば、特許文献１参照。）。
【特許文献１】特開平１０−３２６１３７号公報
【発明の開示】
【発明が解決しようとする課題】
【０００９】
このように、Ｗｅｂページの閲覧機能を有する前記従来の携帯端末機器では、現在表示されているＷｅｂページから次のページ表示へと移動させる際に、広範なスクロール操作を行って次のページへのリンクボタンを探しポイントで指示してクリック操作しなければならないと云う面倒な作業が必要になる。
【００１０】
ここで、前記特許文献１に示される携帯用情報収集機器では、「進む」キーにより簡単に表示情報を切り換えることを示しているが、本体内メモリに記憶させた大量の情報を、単に「進む」キーの操作に応じて順次読み出して表示させるだけのものであり、Ｗｅｂページのようにリンク付けされている各ページを簡単に且つ順序よく切り換えて取得し表示させるようなこと全く記載されて無い。
【００１１】
本発明は、このような課題に鑑みなされたもので、例えば表示画面の狭い携帯端末機器であっても面倒な操作を要することなく、Ｗｅｂページの各ページを簡単に且つ順序よく切り換えて表示させることが可能になるＷｅｂページ閲覧装置、Ｗｅｂページ閲覧方法、およびＷｅｂページ閲覧処理プログラムを提供することを目的とする。
【課題を解決するための手段】
【００１２】
請求項１に記載のＷｅｂページ閲覧装置は、ネットワーク上のＷｅｂサーバからマークアップ言語で記述されたファイルを取得して表示するＷｅｂページ閲覧装置であって、表示中のＷｅｂページについての前記マークアップ言語で記述されたファイルから特定の文字列を検索し、当該特定の文字列に対応して記述されたリンク先ＵＲＬを抽出する特定リンク先ＵＲＬ抽出手段と、所定の操作がなされることに応じて、前記特定リンク先ＵＲＬ抽出手段により抽出されたＵＲＬが示すＷｅｂページの表示を行う次ページ表示手段とを備えたことを特徴としている。
【００１３】
請求項２に記載のＷｅｂページ閲覧装置は、前記請求項１に記載のＷｅｂページ閲覧装置において、前記特定リンク先ＵＲＬ抽出手段により複数のＵＲＬが抽出された場合に、現在表示されているページのＵＲＬとの関係に基づき１つのＵＲＬを選択するＵＲＬ選択手段を備え、前記次ページ表示手段は、前記特定リンク先ＵＲＬ抽出手段により抽出された１つのＵＲＬまたは前記ＵＲＬ選択手段により選択された１つのＵＲＬが示すＷｅｂページを表示することを特徴としている。
【００１４】
請求項３に記載のＷｅｂページ閲覧装置は、前記請求項１に記載のＷｅｂページ閲覧装置において、前記特定リンク先ＵＲＬ抽出手段は、次ページを示す文字列を前記ファイルから検索する次ページ検索手段と、この次ページ検索手段が対象となる文字列を抽出しなかった場合に目次ページを示す文字列を検索する目次ページ検索手段とを備えたことを特徴としている。
【００１５】
請求項４に記載のＷｅｂページ閲覧装置は、前記請求項１に記載のＷｅｂページ閲覧装置において、ユーザ操作に応じてＷｅｂページを表示した際の当該ＷｅｂページのＵＲＬをそのユーザ操作方法と対応付けて順次記憶するページ操作履歴記憶手段と、前記特定リンク先ＵＲＬ抽出手段が次ぎに表示すべきＷｅｂページのＵＲＬを抽出しない場合に、前記ページ操作履歴記憶手段により記憶されたユーザ操作方法に基づいて１つのＵＲＬを選択する過去表示ＵＲＬ選択手段とを備えたことを特徴としている。
【００１６】
請求項５に記載のＷｅｂページ閲覧装置は、ネットワーク上のＷｅｂサーバからマークアップ言語で記述されたファイルを取得して表示するＷｅｂページ閲覧装置であって、現在表示中のＷｅｂページのファイルから当該ページの順序性を示すキーワードの文字列を抽出する現在ページキーワード文字列抽出手段と、現在表示中のＷｅｂページのファイルに記述されているリンク先のＵＲＬを抽出するリンク先ＵＲＬ抽出手段と、このリンク先ＵＲＬ抽出手段により抽出されたＵＲＬに対応するＷｅｂページのファイルを前記ネットワーク上のサーバ装置から先読みするファイル先読み手段と、このファイル先読み手段により先読みされたリンク先ページのファイルから当該ページの順序性を示すキーワードの文字列を抽出する先読みページキーワード文字列抽出手段と、前記現在ページキーワード文字列抽出手段により抽出された現在表示ページの順序性を示すキーワードの文字列と前記先読みページキーワード文字列抽出手段により抽出されたリンク先ページの順序性を示すキーワードの文字列との関連の有無を判断する関連性判断手段と、この関連性判断手段により現在表示ページの順序性を示すキーワードの文字列とリンク先ページの順序性を示すキーワードの文字列との関連が有ると判断された場合は、前記リンク先ＵＲＬ抽出手段により抽出されたＵＲＬを次に表示するページのＵＲＬとして決定する次ページＵＲＬ決定手段とを備えたことを特徴としている。
【００１７】
請求項６に記載のＷｅｂページ閲覧装置は、ネットワーク上のＷｅｂサーバからマークアップ言語で記述されたファイルを取得し表示するＷｅｂページ閲覧装置であって、現在表示中のＷｅｂページのＵＲＬにおけるファイル名を修正するＵＲＬ修正手段と、このＵＲＬ修正手段により修正されたＵＲＬに対応するＷｅｂページのファイルを前記ネットワーク上のＷｅｂサーバから先読みするファイル先読み手段と、このファイル先読み手段により先読みされたＷｅｂページのＵＲＬと前記現在表示中のＷｅｂページのＵＲＬとの順序性を示す関連の有無を判断する関連性判断手段と、この関連性判断手段により前記先読みされたＷｅｂページのＵＲＬと前記現在表示中のＷｅｂページのＵＲＬとの順序性を示す関連が有ると判断された場合は、前記ＵＲＬ修正手段により修正されたＵＲＬを次に表示するＷｅｂページのＵＲＬとして決定する次ページＵＲＬ決定手段とを備えたことを特徴としている。
【発明の効果】
【００１８】
本発明の請求項１（請求項７）（請求項９）に記載のＷｅｂページ閲覧装置（Ｗｅｂページ閲覧方法）（Ｗｅｂページ閲覧処理プログラム）によれば、表示中のＷｅｂページについてのマークアップ言語で記述されたファイルから「次」などの特定の文字列が検索されると共に、当該特定の文字列に対応して記述されたリンク先ＵＲＬが抽出される。そして、「進む」キーなどの所定の操作がなされることに応じて、この抽出されたＵＲＬが示すＷｅｂページの表示が行われるので、例えば表示画面の狭い携帯端末機器であっても面倒なスクロール操作などによってリンクボタンを探し出す必要なく、次のページの移動を指示する１キー操作によって簡単に次のページ表示を行わせることができる。
【００１９】
本発明の請求項２に記載のＷｅｂページ閲覧装置によれば、前記請求項１に記載のＷｅｂページ閲覧装置において、特定リンク先ＵＲＬ抽出手段により複数のＵＲＬが抽出された場合でも、ＵＲＬ選択手段により現在表示されているページのＵＲＬとの関係に基づき１つのＵＲＬが選択され、前記特定リンク先ＵＲＬ抽出手段により抽出された１つのＵＲＬまたは前記ＵＲＬ選択手段により選択された１つのＵＲＬが示すＷｅｂページが表示されるので、簡単に且つ常に適切な次ページ表示を行うことができる。
【００２０】
本発明の請求項３に記載のＷｅｂページ閲覧装置によれば、前記請求項１に記載のＷｅｂページ閲覧装置において、次ページを示す文字列がファイルから検索され、当該次ページ文字列が抽出されなかった場合でも、目次ページを示す文字列が検索されるので、例えば現在表示中のＷｅｂページが一連Ｗｅｂページの最終ページであった場合でも、適切に目次ページへの切り換え表示を行うことができる。
【００２１】
本発明の請求項４に記載のＷｅｂページ閲覧装置によれば、前記請求項１に記載のＷｅｂページ閲覧装置において、特定リンク先ＵＲＬ抽出手段により次に表示すべきＷｅｂページのＵＲＬが抽出されない場合には、ページ操作履歴記憶手段により記憶されたユーザ操作方法に基づいて過去表示ＵＲＬ選択手段によって１つのＵＲＬが選択されるので、例えば現在表示中のＷｅｂページが一連Ｗｅｂページの最終ページであっても、適切に前記一連Ｗｅｂページの分岐先頭ページへの切り換え表示を行うことができる。
【００２２】
本発明の請求項５（請求項８）（請求項１０）に記載のＷｅｂページ閲覧装置（Ｗｅｂページ閲覧方法）（Ｗｅｂページ閲覧処理プログラム）によれば、現在表示中のＷｅｂページのファイルから当該ページの順序性を示すキーワードの文字列が抽出されると共に、同現在表示中のＷｅｂページのファイルに記述されているリンク先のＵＲＬが抽出される。すると、この抽出ＵＲＬに対応するＷｅｂページのファイルが前記ネットワーク上のＷｅｂサーバから先読みされ、この先読みされたリンク先ページのファイルから当該ページの順序性を示すキーワードの文字列が抽出される。そして現在表示ページの順序性を示すキーワードの文字列と前記先読み抽出されたリンク先ページの順序性を示すキーワードの文字列との関連の有無が判断され、これにより関連が有ると判断された場合には、前記抽出されたリンク先ＵＲＬが次に表示するページのＵＲＬとして決定されるので、例えば表示画面の狭い携帯端末機器であっても面倒なスクロール操作などによってリンクボタンを探し出す必要なく、次のページの移動を指示する１キー操作によって簡単に次のページ表示を行わせることができる。
【００２３】
請求項６に記載のＷｅｂページ閲覧装置によれば、現在表示中のＷｅｂページのＵＲＬにおけるファイル名が修正され、この修正されたＵＲＬに対応するＷｅｂページのファイルがネットワーク上のＷｅｂサーバから先読みされる。すると、この先読みされたＷｅｂページのＵＲＬと現在表示中のＷｅｂページのＵＲＬとの順序性を示す関連の有無が判断され、これにより関連が有ると判断された場合には、前記修正されたＵＲＬが次に表示するＷｅｂページのＵＲＬとして決定されるので、例えば表示画面の狭い携帯端末機器であっても面倒なスクロール操作などによってリンクボタンを探し出す必要なく、次のページの移動を指示する１キー操作によって簡単に次のページ表示を行わせることができる。
【００２４】
よって、本発明によれば、例えば表示画面の狭い携帯端末機器であっても面倒な操作を要することなく、Ｗｅｂページの各ページを簡単に且つ順序よく切り換えて表示させることが可能になるＷｅｂページ閲覧装置、Ｗｅｂページ閲覧方法、およびＷｅｂページ閲覧処理プログラムを提供できる。
【発明を実施するための最良の形態】
【００２５】
以下図面により本発明の実施の形態について説明する。
【００２６】
（第１実施形態）
図１は、本発明のＷｅｂページ閲覧装置の実施形態に係る携帯端末機器１０の電子回路の構成を示すブロック図である。
【００２７】
図２は、前記携帯端末機器１０の外観構成を示す図であり、同図（Ａ）はその正面図、同図（Ｂ）はその右側面図である。
【００２８】
この携帯端末機器１０は、以下に説明するＷｅｂページ閲覧機能を備えたＰＤＡ(personal digital assistant)や携帯電話として構成されるか、Ｗｅｂページ閲覧専用の携帯機器として構成される。この携帯機器１０は、各種の記録媒体に記録されたプログラム、または、伝送されたプログラムを読み込んで、その読み込んだプログラムによって動作が制御されるコンピュータによって構成され、その電子回路には、制御部（ＣＰＵ:central processing unit）１１が備えられる。
【００２９】
制御部（ＣＰＵ）１１は、フラッシュＲＯＭなどの記憶装置１２内に予め記憶された携帯端末制御プログラム、あるいはメモリカード（ＲＯＭカード）などの外部記録媒体１３から前記記憶装置１２に読み込まれた携帯端末制御プログラム、あるいはインターネット（通信ネットワーク）Ｎ上のＷｅｂサーバ（この場合はプログラムサーバ）２０から通信部１４を介して前記記憶装置１２に読み込まれた携帯端末制御プログラムに応じて、ＲＡＭ１５を作業用メモリとし、回路各部の動作を制御するもので、前記記憶装置１２に記憶された携帯端末制御プログラムは、スライドキーボード１６Ｘを有するキー入力部１６からのユーザ操作に応じた入力信号、あるいは通信部１４を介して接続されるインターネットＮ上の各Ｗｅｂサーバ２０…との通信信号に応じて起動される。
【００３０】
前記制御部（ＣＰＵ）１１には、前記記憶装置１２、通信部１４、ＲＡＭ１５、キー入力部１６（１６Ｘ）が接続される他に、ＬＣＤからなる表示部１７、ＬＥＤ制御部１８などが接続される。このＬＥＤ制御部１８は、図２（Ａ）に示すように、機器１０本体正面の上部中央に設けられたＷｅｂページ取得状況確認用の緑色ＬＥＤ１８Ｇおよび赤色ＬＥＤ１８Ｒを点滅制御する。
【００３１】
記憶装置１２には、当該携帯端末機器１０の全体の動作を司るシステムプログラム１２ａ、通信部１４を介してインターネット（通信ネットワーク）Ｎ上の各Ｗｅｂサーバ２０…とデータ通信するための通信用プログラム１２ｂが記憶される他に、インターネットＮ上のＷｅｂサーバ２０から取得されたＷｅｂページ（図６参照）を表示させるためのブラウザプログラム１２ｃ、現在表示中のＷｅｂページから次のＷｅｂページ表示へ簡単且つ速やかに移動表示させるための次ページサーチプログラム１２ｄなどが記憶される。
【００３２】
キー入力部１６には、図２（Ａ）に示すように、電源のＯＮ／ＯＦＦを行う際に操作される「電源」キー１６ａ、前記ブラウザプログラム１２ｃを起動させる際に操作されるブラウザ起動「Ｂ」キー１６ｂ、表示画面上でのカーソルの移動やポイントの指定を行う際に操作されるカーソルキー１６ｃ、表示中のＷｅｂページの次ページへの移動表示を１キー（ボタン）により行う際に操作される「進む」キー（ボタン）１６ｄが備えられ、各キーは何れも機器１０本体正面の中央に設けられた表示部１７の左側に配置される。
【００３３】
本携帯端末機器１０の本体サイズは、ユーザが片手で十分把持できる大きさで構成されるもので、図２（Ｂ）に示すように、背面側の本体ケースは矢印ａに示すように下方へとスライドするスライドキーボード１６Ｘとして構成され、このスライドキーボード１６Ｘ上には任意の文字や記号を入力するための文字・記号キー１６ｅが配置される。そして、前記キー入力部１６（１６Ｘ）に配置された全てのキー（ボタン）１６ａ〜１６ｅは、ユーザの片手での操作が可能な配置・サイズ・形状の構成とされる。
【００３４】
一方、ＲＡＭ１５には、アクセス先ＵＲＬメモリ１５ａ、ＷｅｂページＨＴＭＬメモリ１５ｂ、表示画像メモリ１５ｃ、次ページリンクサーチ用キーワードメモリ１５ｄ、目次ページリンクサーチ用キーワードメモリ１５ｅ、ページ移動操作履歴メモリ１５ｆ、抽出リンク先ＵＲＬメモリ１５ｇなどの各種作業用メモリエリアが用意される。
【００３５】
アクセス先ＵＲＬメモリ１５ａには、インターネット（通信ネットワーク）Ｎ上のアクセス先であるＷｅｂサーバ２０のＵＲＬが記憶される。
【００３６】
ＷｅｂページＨＴＭＬメモリ１５ｂには、前記アクセス先のＵＲＬに従いＷｅｂサーバ２０から取得されるＨＴＭＬファイル（図７参照）が記憶される。
【００３７】
表示画像メモリ１５ｃには、表示部１７に表示させるべき画像として、例えば前記ＨＴＭＬファイル（図７参照）をブラウザプログラム１２ｃによって変換したＷｅｂページ（図６参照）の画像データが記憶される。
【００３８】
図３は、前記携帯端末機器１０のＲＡＭ１５に用意された次ページリンクサーチ用キーワードメモリ１５ｄのデータ内容を示す図である。
【００３９】
この次ページリンクサーチ用キーワードメモリ１５ｄには、前記ＷｅｂページＨＴＭＬメモリ１５ｂに記憶されている現在表示中のＷｅｂページ（図６参照）のＨＴＭＬファイル（図７参照）を対象として、次ページのリンク先ＵＲＬを抽出するための複数のキーワード「次／進む／ページ／next／…」が優先順に記憶される。
【００４０】
図４は、前記携帯端末機器１０のＲＡＭ１５に用意された目次ページリンクサーチ用キーワードメモリ１５ｅのデータ内容を示す図である。
【００４１】
この目次ページリンクサーチ用キーワードメモリ１５ｅには、前記ＷｅｂページＨＴＭＬメモリ１５ｂに記憶されている現在表示中のＷｅｂページ（図６参照）のＨＴＭＬファイル（図７参照）を対象として、目次ページのリンク先ＵＲＬを抽出するための複数のキーワード「目次／インデックス／一覧／表紙／…」が優先順に記憶される。
【００４２】
図５は、前記携帯端末機器１０のＲＡＭ１５に用意されたページ移動操作履歴メモリ１５ｆのデータ内容を示す図である。
【００４３】
このページ移動操作履歴メモリ１５ｆは、表示されているＷｅｂページの履歴を記憶するもので、あるページから他のページへ表示を移動した際の操作方法と移動先ＵＲＬとを対応付けて記憶するものである。Ｗｅｂページ移動表示の操作方法としては、例えば予めユーザ所望のＷｅｂページのＵＲＬを登録したブックマークを指定操作する方法、現在表示中のＷｅｂページ上のリンクボタンをポイントで指定操作する方法、「進む」キー（ボタン）１６ｄを操作する方法がある。「進む」キーを操作した場合の処理については、詳細を後述する。
【００４４】
抽出リンク先ＵＲＬメモリ１５ｇには、前記「進む」キー（ボタン）１６ｄの操作に応じたＷｅｂページ表示処理（図８参照）に際し、現在表示中のＷｅｂページ（図６参照）のＨＴＭＬファイル（図７参照）から「次ページ」にリンクするＵＲＬまたは「目次ページ」にリンクするＵＲＬが自動抽出されて記憶される（図９・図１０参照）。
【００４５】
ここで、本実施形態の携帯端末機器１０において、Ｗｅｂページのアクセス（リンク）先となるＵＲＬの末尾側の“／”以降の記号を「ファイル名」、“／”以前の記号を「ディレクトリ」と称する。
【００４６】
例えばＵＲＬ＝“http://www.asio.co.jp/product/a/page01.htm”については、ファイル名“page01.htm”、ディレクトリ“product/a”となる。
【００４７】
図６は、前記携帯端末機器１０のブラウザ処理によるブラウザ画面ＢＲに表示されたアクセス先ＵＲＬ[http://www.asio.co.jp/product/a/page003.html]（１５ａ）に対応するＷｅｂページＰ１を示す図である。
【００４８】
図７は、前記図６におけるＷｅｂページＰ１を構成しているマークアップ言語であるＨＴＭＬで記述されたＨＴＭＬファイル（１５ｂ）を示す図である。
【００４９】
すなわち、ブラウザ画面ＢＲに表示されるＷｅｂページＰ１上の文字や画像（１５ｃ）は、ＨＴＭＬファイル（１５ｂ）に記述されたソースコードがブラウザ処理されることにより変換表示される。
【００５０】
例えばＷｅｂページＰ１において次ページリンクボタン「次のページへ」Ｐｙを表示させるためには、当該次ページリンクボタンＰｙの文字列をリンク先ＵＲＬに対応付けたソースコード
[<A href=“http://www.asio.co.jp/product/a/page004.html”>次のページへ</A>]Ｃｙ
として記述され、また同ＷｅｂページＰ１において前ページリンクボタン「前のページへ」Ｐｘを表示させるためには、当該前ページリンクボタンＰｘの文字列をリンク先ＵＲＬに対応付けたソースコード
[<A href=“http://www.asio.co.jp/product/a/page002.html”>前のページへ</A>]Ｃｘ
として記述され、さらに同ＷｅｂページＰ１において目次ページリンクボタン「目次へ」Ｐｚを表示させるためには、当該目次ページリンクボタンＰｚの文字列をリンク先ＵＲＬに対応付けたソースコード
[<A href=“http://www.asio.co.jp/product/a/index.html”>目次へ</A>]Ｃｚ
として記述される。
【００５１】
すなわち、この携帯端末機器１０によるＷｅｂページ表示機能では、例えば図６に示すようなＷｅｂページＰ１の表示されたブラウザ画面ＢＲにあって、「進む」キー（ボタン）１６ｄが操作されると、次ページリンクサーチ用キーワード文字列（１５ｄ）（図３参照）に従って、図７に示すようなＨＴＭＬファイル（１５ｂ）の中から「次」の文字を含んでいるソースコードＣｙに記述されたリンク先ＵＲＬ
[http://www.asio.co.jp/product/a/page004.html]
が抽出され、現在表示中のＷｅｂページ（page003.html)に続く次のＷｅｂページ（page004.html)が、前記「進む」キー（ボタン）１６ｄの１キー（ボタン）操作によって表示されるようになる。
【００５２】
次に、前記構成の携帯端末機器１０によるＷｅｂページ表示機能について説明する。
【００５３】
図８は、前記携帯端末機器１０による第１実施形態のＷｅｂページ表示処理における「進む」キーが操作された場合の処理を示すフローチャートである。
【００５４】
キー入力部１６のブラウザ起動「Ｂ」キー１６ｂが操作されるとブラウザプログラム１２ｃが起動され、アクセス先ＵＲＬメモリ１５ａに記憶されているＵＲＬに従い通信接続されたＷｅｂサーバ２０からＨＴＭＬファイル（１５ｂ）が取得され、ブラウザ画面ＢＲに対し当該ＨＴＭＬファイルに対応したＷｅｂページが表示される。この状態で、キー入力部１６の「進む」キー１６ｄが操作されると、表示部１７に現在表示されているＷｅｂページはその最下段（ページ末尾）が表示されているか否か判断される（ステップＳ１）。
【００５５】
ここで、現在表示されているＷｅｂページがその最下段（ページ末尾）まで表示されていないと判断された場合には、当該Ｗｅｂページは下方向にスクロール処理されて表示される（ステップＳ１→Ｓ２）。
【００５６】
一方、前記現在表示中のＷｅｂページがその最下段を表示していると判断された場合には、ＲＡＭ１５内のＷｅｂページＨＴＭＬメモリ１５ｂに記憶された当該表示中のＷｅｂページに対応するＨＴＭＬファイルが読み込まれ（ステップＳ１→Ｓ３）、次ページリンクサーチ用キーワードメモリ１５ｄ（図３参照）に記憶されているキーワード、例えば「次」、「進む」等の文字と一致する文字列が検索され、対象文字列が発見されたときはそのソースコードに記述されているＵＲＬが抽出されて抽出リンク先ＵＲＬメモリ１５ｇに記憶される（ステップＳ４）。
【００５７】
ここで、前記次ページリンクサーチ用キーワードと一致する文字列とそこに対応して記述されたＵＲＬが１つだけ抽出された場合には（ステップＳ５→Ｓ６）、機器１０本体正面上部に設けられた緑色ＬＥＤ１８ＧがＬＥＤ制御部１８によって３回（２回＋１回）点滅駆動され、適切な次ページ表示を行うことがユーザに報知される（ステップＳ６→Ｓ７，Ｓ８）。
【００５８】
すると、前記抽出リンク先ＵＲＬメモリ１５ｇに記憶された１つのリンク先ＵＲＬがアクセス先ＵＲＬメモリ１５ａに書き込まれ、当該リンク先ＵＲＬに対応するＷｅｂサーバ２０から、そのＷｅｂページのＨＴＭＬファイルが読み込まれる（ステップＳ９）。
【００５９】
そして、今回のページ移動表示の操作方法（「進む」ボタン）と抽出されたリンク先ＵＲＬとが対応付けられてＲＡＭ１５内のページ移動操作履歴メモリ１５ｆ（図５参照）に記録された後（ステップＳ１０）、前記ステップＳ９にて読み込まれたリンク先ＷｅｂページのＨＴＭＬファイルに基づき当該ＨＴＭＬファイルに対応する次のＷｅｂページを表示したブラウザ画面ＢＲが表示部１７に表示される（ステップＳ１１）。
【００６０】
一方、表示中のＷｅｂページに次ページリンクサーチ用キーワードが複数含まれている場合は、ステップＳ４においてキーワードと一致する文字列とそこに記述されているＵＲＬが複数抽出されて、例えば図９に示すように複数のＵＲＬが記憶されることになる。図９は記憶された複数のＵＲＬが共通のディレクトリを有した場合であって、ディレクトリを省略してファイル名のみを示している。このように複数のＵＲＬが記憶されている場合には、ステップＳ６でＮｏと判断され、この抽出された各リンク先ＵＲＬのファイル名に記述されているページの番号や記号と現在表示中のＷｅｂページのＵＲＬファイル名に記述されているページの番号や記号との順序性に従って、例えば現在表示ページに続くページ番号や記号を有するＵＲＬが次に表示されるＷｅｂページとして選択される（ステップＳ６→Ｓ１２）。
【００６１】
ここで、現在表示ページに続く１つのＵＲＬが選択されて抽出できた場合には、この抽出された１つのＵＲＬファイル名と現在表示中のＵＲＬファイル名との類似性が判断される（ステップＳ１３→Ｓ１４）。そして、類似性も“ＯＫ”であると判断された場合には（ステップＳ１４（Ｙｅｓ））、前記同様に緑色ＬＥＤ１８ＧがＬＥＤ制御部１８によって３回点滅駆動され、適切な次ページ表示を行うことがユーザに報知された後（ステップＳ７，Ｓ８）、選択された１つのリンク先ＵＲＬに対応するＷｅｂサーバ２０にアクセスして、そのＷｅｂページのＨＴＭＬファイルが読み込まれる（ステップＳ９）。
【００６２】
そして、今回のページ移動表示の操作方法と抽出されたリンク先ＵＲＬとが対応付けられてＲＡＭ１５内のページ移動操作履歴メモリ１５ｆ（図５参照）に記録された後（ステップＳ１０）、前記ステップＳ９にて読み込まれたリンク先ＷｅｂページのＨＴＭＬファイルに基づき当該ＨＴＭＬファイルに対応する次のＷｅｂページを表示したブラウザ画面ＢＲが表示部１７に表示される（ステップＳ１１）。
【００６３】
一方、前記ステップＳ１４において、抽出された１つのＵＲＬファイル名と現在表示中のＵＲＬファイル名の類似性が“ＮＧ”であると判断された場合（ステップＳ１４（Ｎｏ））か、または複数のリンク先ＵＲＬのファイル名からは１つのＵＲＬを選択抽出することができないと判断された場合（ステップＳ１３（Ｎｏ））には、この抽出された各リンク先ＵＲＬのディレクトリ名に記述されている番号や記号と現在表示中のＷｅｂページのＵＲＬディレクトリ名に記述されている番号や記号との順序性に従って、例えば現在表示ページに続く番号や記号を有するＵＲＬが次ぎに表示するＷｅｂページとして選択される（ステップＳ１５）。
【００６４】
図１０は、ファイル名からは１つのＵＲＬが選択できない場合の抽出ＵＲＬの例である。この例では複数のページが”index.htm”の同じファイル名が付けられている場合であり、このような場合はファイル名では適切なものを選択できないので、ディレクトリの名称を参照して１つのＵＲＬを選択することになる。
【００６５】
ステップＳ１５で、現在表示ページに続く１つのＵＲＬが選択されて抽出されたと判断された場合には、この抽出された１つのＵＲＬディレクトリ名と現在表示中のＵＲＬディレクトリ名との類似性が“ＯＫ”であるか“ＮＧ”であるか判断される（ステップＳ１６→Ｓ１７）。
【００６６】
そして、現在表示ページに続く１つのＵＲＬが選択されて当該ＵＲＬの類似性も“ＯＫ”であると判断された場合には（ステップＳ１７（Ｙｅｓ））、前記緑色ＬＥＤ１８ＧがＬＥＤ制御部１８によって１回だけ点滅駆動され、ある程度適切な次ページ表示を行うことがユーザに報知された後（ステップＳ７，Ｓ８）、選択された１つのリンク先ＵＲＬに対応するＷｅｂサーバ２０にアクセスされて、そのＷｅｂページのＨＴＭＬファイルが読み込まれる（ステップＳ９）。
【００６７】
そして、今回のページ移動表示の操作方法と抽出されたリンク先ＵＲＬとが対応付けられてＲＡＭ１５内のページ移動操作履歴メモリ１５ｆ（図５参照）に記録された後（ステップＳ１０）、前記ステップＳ９にて読み込まれたリンク先ＷｅｂページのＨＴＭＬファイルに基づき当該ＨＴＭＬファイルに対応する次のＷｅｂページを表示したブラウザ画面ＢＲが表示部１７に表示される（ステップＳ１１）。
【００６８】
さらに一方、前記ステップＳ１７において、抽出された１つのＵＲＬが現在表示中のＵＲＬと類似性がＮＧ”であると判断された場合（ステップＳ１７（Ｎｏ））か、または前記ステップＳ１６において、抽出リンク先ＵＲＬメモリ１５g2に記憶された複数のリンク先ＵＲＬから１つのＵＲＬを選択抽出することができないと判断された場合（ステップＳ１６（Ｎｏ））には、赤色ＬＥＤ１８ＲがＬＥＤ制御部１８によって３回点滅駆動され、現在表示中のＷｅｂページが最終ページであると見なされることがユーザに報知される（ステップＳ１８）。
【００６９】
すると、目次のＷｅｂページあるいは分岐点となったＷｅｂページに戻ったページ移動表示を行うために、まず、目次ページリンクサーチ用キーワードメモリ１５ｅ（図４参照）に記憶されているキーワード、「目次」、「インデックス」等と一致する文字列が現在表示中のＷｅｂページのＨＴＭＬファイル（１５ｂ）から検索され、そのソースコードにリンク付けされて記述されているＵＲＬが抽出されて抽出リンク先ＵＲＬメモリ１５ｇに記憶される（ステップＳ１９）。
【００７０】
ここで、前記目次ページを示すＵＲＬが抽出された場合には（ステップＳ２０）、当該リンク先ＵＲＬに対応するＷｅｂサーバ２０からそのＷｅｂページのＨＴＭＬファイルが読み込まれる（ステップＳ９）。
【００７１】
そして、今回のページ移動表示の操作方法と抽出されたリンク先ＵＲＬとが対応付けられてＲＡＭ１５内のページ移動操作履歴メモリ１５ｆ（図５参照）に記録された後（ステップＳ１０）、前記ステップＳ９にて読み込まれたリンク先ＷｅｂページのＨＴＭＬファイルに基づき当該ＨＴＭＬファイルに対応する目次のＷｅｂページを表示したブラウザ画面ＢＲが表示部１７に表示される（ステップＳ１１）。
【００７２】
一方、前記ステップＳ２０において、目次ページを示すＵＲＬが抽出されなかった場合には、ページ移動操作履歴メモリ１５ｆに記憶されているＵＲＬから１つのＵＲＬを選択する（ステップＳ２１）。つまりこのステップでは現在表示中のＷｅｂページからＵＲＬ履歴を遡り、そのディレクトリ名が異なるところのＵＲＬが現在表示中のＷｅｂページへの分岐点となったＷｅｂページのＵＲＬとして選択するようにする。
【００７３】
ここで、ＵＲＬ履歴からその分岐点となったＷｅｂページのＵＲＬが選択された場合には（ステップＳ２２）、当該ページ分岐点のＵＲＬに対応してＷｅｂサーバ２０にアクセスし、その分岐点のＷｅｂページのＨＴＭＬファイルが読み込まれる（ステップＳ９）。
【００７４】
そして、今回のページ移動表示の操作方法と抽出されたリンク先ＵＲＬとが対応付けられてページ移動操作履歴メモリ１５ｆに記録された後（ステップＳ１０）、前記ステップＳ９にて読み込まれた分岐点のＷｅｂページのＨＴＭＬファイルに基づき当該ＨＴＭＬファイルに対応する分岐点のＷｅｂページを表示したブラウザ画面ＢＲが表示部１７に表示される（ステップＳ１１）。
【００７５】
さらに、前記ステップＳ２１，Ｓ２２において、分岐点のＷｅｂページのＵＲＬが選択できなかった場合には、同ページ移動操作履歴メモリ１５ｆに記憶されている現在表示中のＷｅｂページまでの操作方法履歴を遡り、当該操作方法が異なるところ、つまり「進む」キー（ボタン）以外の操作方法（例えば「ポイント」）で過去に移動した先のＵＲＬが現在表示中のＷｅｂページへの分岐点となったＷｅｂページのＵＲＬとして選択される（ステップＳ２３）。
【００７６】
すると前記同様に、当該ページ分岐点のＵＲＬに対応したＷｅｂページのＨＴＭＬファイルが読み込まれ（ステップＳ９）、今回のページ移動表示の操作方法と抽出されたリンク先ＵＲＬとがページ移動操作履歴メモリ１５ｆに記録された後（ステップＳ１０）、ステップＳ９にて読み込まれた分岐点のＷｅｂページのＨＴＭＬファイルに対応するＷｅｂページを表示したブラウザ画面ＢＲが表示部１７に表示される（ステップＳ１１）。
【００７７】
なお、図８で示す処理では、「進む」キーの操作があったときに、最下段が表示されていなければスクロール表示するようにしていたが、「スクロール」と「進む」を別のキーとして、「進む」キーの操作があれば直ちに次のページへ移動するようにしても良い。
【００７８】
したがって、前記構成の携帯端末機器１０による第１実施形態のＷｅｂページ表示機能によれば、キー入力部１６における「進む」キー（ボタン）１６ｄの１回操作に応じて、表示部１７に現在表示中のＷｅｂページのＨＴＭＬファイル（１５ｂ）に記述されている「次」などの文字列が、次ページリンクサーチ用キーワード文字列（１５ｄ）に基づき検索される共に、当該検索されたキーワード文字列「次」にリンク付けされたＵＲＬが次ページのＵＲＬとして抽出（１５ｇ）される。そして、この抽出ＵＲＬに応じてアクセスされたＷｅｂサーバ２０から当該ＵＲＬに対応したＷｅｂページのＨＴＭＬファイルが取得され現在表示ページの次のＷｅｂページとして表示されるので、表示画面の狭い携帯端末機器１０であっても面倒なスクロール操作などを要することなく、「進む」キー（ボタン）１６ｄの１回操作だけで、現在表示中のＷｅｂページに続く各ページを簡単に且つ順序よく表示させることができる。
【００７９】
また、前記構成の携帯端末機器１０による第１実施形態のＷｅｂページ表示機能によれば、「進む」キー（ボタン）１６ｄの１回操作に応じて実行される次ページリンクサーチ用キーワード文字列（１５ｄ）に基づいた現在表示中ＷｅｂページのＨＴＭＬファイル（１５ｂ）からの文字列検索とそのリンク先ＵＲＬの抽出に際し、「次」「進む」「ページ」などの複数のキーワードに一致する文字列が検索され複数のリンク先ＵＲＬが抽出された場合でも、例えば現在表示中のページＵＲＬに含まれるファイル名やディレクトリの名称の順序性に従って次ページとして最も関連の強い１つのリンク先ＵＲＬが選択抽出されるので、簡単に且つ常に適切な次ページ表示を行うことができる。
【００８０】
また、前記構成の携帯端末機器１０による第１実施形態のＷｅｂページ表示機能によれば、「進む」キー（ボタン）１６ｄの１回操作に応じて実行される次ページリンクサーチ用キーワード文字列（１５ｄ）に基づいた現在表示中ＷｅｂページのＨＴＭＬファイル（１５ｂ）からの文字列検索とそのリンク先ＵＲＬの抽出に際し、次ページキーワードに一致する文字列が１つも検索されずリンク先ＵＲＬが抽出されなかった場合には、目次ページリンクサーチ用キーワード文字列（１５ｅ）に基づいて「目次」などのキーワードに一致する文字列が検索されそのリンク先ＵＲＬが抽出されるので、現在表示中のＷｅｂページが一連Ｗｅｂページの最終ページであった場合でも、適切に目次ページへの切り換え表示を行うことができる。
【００８１】
さらに、前記構成の携帯端末機器１０による第１実施形態のＷｅｂページ表示機能によれば、次ページリンクサーチ用キーワード文字列（１５ｄ）に基づいた次ページキーワードの文字列とそのリンク先ＵＲＬが抽出されず、しかも、目次ページリンクサーチ用キーワード文字列（１５ｅ）に基づいた目次ページキーワードの文字列とそのリンク先ＵＲＬをも抽出されなかった場合には、これまでのページ移動（切り換え表示）に伴うユーザ操作系と移動先ＵＲＬとの履歴を記憶したページ移動操作履歴（１５ｆ）を遡って、例えば現在表示ページのＵＲＬディレクトリ名とは異なるディレクトリ名を有するＵＲＬか、または現在のページ表示の際のユーザ操作系とは異なるユーザ操作系によって表示されたページのＵＲＬが分岐先頭ページのＵＲＬとして抽出されるので、現在表示中のＷｅｂページが一連Ｗｅｂページの最終ページであって、しかも目次ページへのリンクを有する文字列が記載されていない場合でも、適切に前記一連Ｗｅｂページの分岐先頭ページへの切り換え表示を行うことができる。
【００８２】
なお、前記第１実施形態のＷｅｂページ表示機能では、「進む」キー（ボタン）１６ｄの操作に応じて現在表示ページのＨＴＭＬファイルから次ページリンクキーワード（１５ｄ）に一致する文字列を検索しそのリンク先ＵＲＬを抽出して次ページへの切り換え表示を行う構成としたが、次の第２実施形態のＷｅｂページ表示に伴う次ページ割り当て機能において説明するように、現在のアクセス先ＵＲＬ（１５ａ）に対応してＨＴＭＬファイルを取得しＷｅｂページを表示した際に、その表示中ＨＴＭＬファイルの記述内容から抽出したリンク先ＵＲＬ、または現在のアクセス先ＵＲＬのファイル名に含まれる順序性のある記述を修正して取得されたＵＲＬの何れかに対応するＷｅｂページのＨＴＭＬファイルを先読みし、この先読みしたＨＴＭＬファイルの前記表示中ＨＴＭＬファイルに対する連続性（キーワードやＵＲＬに含まれる連番記号の順序性）を判断確認して当該連続性のあるＨＴＭＬファイルのＵＲＬを、後に「進む」キー（ボタン）１６ｄを操作した際のリンク先ＵＲＬとして予め設定する構成としてもよい。
【００８３】
（第２実施形態）
図１１は、前記携帯端末機器１０による第２実施形態のＷｅｂページ表示に伴う次ページ割り当て機能においてＲＡＭ１５に用意されるリンク先読み用キーワード文字列メモリ１５ｈのデータ内容を示す図である。
【００８４】
このリンク先読み用キーワード文字列メモリ１５ｈには、Ｗｅｂページの順序性を示す「ｗ章ｘ条ｙ項ｚ節」「第ｘ巻」「ｘページ」などのキーワードが記憶され、各キーワード毎にその順番値を一時記憶するエリアを有する。
【００８５】
すなわち、この第２実施形態のＷｅｂページ表示機能では、表示中ＨＴＭＬファイルの記述内容から抽出したリンク先ＵＲＬ、または現在のアクセス先ＵＲＬのファイル名に含まれる順番記号を修正して取得されたＵＲＬの何れかに対応して先読みされたＷｅｂページのＨＴＭＬファイルについて、表示中ＨＴＭＬファイルとの間で前記リンク先読み用キーワードを抽出してその順序性を判断するかあるいは各ＵＲＬに含まれる連番記号の順序性を判断し、その順序性が確認されたＨＴＭＬファイルを有するページＵＲＬを「進む」キー（ボタン）１６ｄ操作時のリンク先ＵＲＬとして予め対応付けて設定するものである。
【００８６】
図１２は、前記携帯端末機器１０による第２実施形態のＷｅｂページ表示に伴う次ページ割り当て処理を示すフローチャートである。
【００８７】
キー入力部１６のブラウザ起動「Ｂ」キー１６ｂの操作に応じたブラウザプログラム１２ｃの起動によって、アクセス先ＵＲＬメモリ１５ａに記憶されているＵＲＬに従い通信接続されたＷｅｂサーバ２０からＨＴＭＬファイル（１５ｂ）が取得され、ブラウザ画面ＢＲに対し当該ＨＴＭＬファイルに対応したＷｅｂページが表示されると、このページ表示中のＨＴＭＬファイルからリンク先読み用キーワード文字列（１５ｈ）に記述された「（ｗ）章（ｘ）条（ｙ）項（ｚ）節」「第（ｘ）巻」「（ｘ）ページ」などのキーワードが抽出されると共に（ステップＡ１）、他のＷｅｂページへのリンクの記述が抽出される（ステップＡ２）。
【００８８】
ここで、ページ表示中のＨＴＭＬファイル内にリンクの記述があると判断されると（ステップＡ３（Ｙｅｓ））、当該リンク先ＵＲＬに従ったＷｅｂページのＨＴＭＬファイルがインターネットＮ上の対応するＷｅｂサーバ２０から先読みされ（ステップＡ３→Ａ４）、この先読みされたリンク先ページのＨＴＭＬファイルから前記リンク先読み用キーワード文字列（１５ｈ）に記述されたキーワードが抽出される（ステップＡ５）。
【００８９】
そして、前記ステップＡ１において表示中ＨＴＭＬファイルから抽出されたＷｅｂページの順序性を示すキーワードに対し、前記ステップＡ５においてリンク先の先読みＨＴＭＬファイルから抽出された同Ｗｅｂページの順序性を示すキーワードが、例えば「第ｘ巻」同士の同一キーワードで関連性ありと判断された場合には（ステップＡ６（Ｙｅｓ））、例えばその順番値“ｘ”が連番であるか離れているかによって、関連性が高いか否かが判断される（ステップＡ７）。
【００９０】
ここで、表示中のＷｅｂページに対しリンク先のＷｅｂページの関連性が高いと判断された場合には、緑色ＬＥＤ１８Ｇが３回点滅制御されて適切なリンク先が抽出されたことがユーザ報知されると共に（ステップＡ７→Ａ８ａ）、この関連性の高いと判断されたキーワードを含むＨＴＭＬファイルのリンク先ＵＲＬがＲＡＭ１５内に記録され（ステップＡ９）、キー入力部１６における「進む」キー（ボタン）１６ｄ操作時のリンク先ＵＲＬとして予め対応付けられて設定される（ステップＡ１０）。
【００９１】
また、前記ステップＡ７において、表示中のＷｅｂページに対しリンク先のＷｅｂページの関連性が高くないと判断された場合には、緑色ＬＥＤ１８Ｇが１回点滅制御されてある程度適切なリンク先が抽出されたことがユーザ報知されると共に（ステップＡ７→Ａ８ｂ）、この関連性の高くないと判断されたキーワードを含むＨＴＭＬファイルのリンク先ＵＲＬがＲＡＭ１５内に記録され（ステップＡ９）、キー入力部１６における「進む」キー（ボタン）１６ｄ操作時のリンク先ＵＲＬとして予め対応付けられて設定される（ステップＡ１０）。
【００９２】
一方、前記ステップＡ６において、ステップＡ１にて表示中ＨＴＭＬファイルから抽出されたＷｅｂページの順序性を示すキーワードに対し、ステップＡ５にてリンク先の先読みＨＴＭＬファイルから抽出された同Ｗｅｂページの順序性を示すキーワードが、例えば「第ｘ巻」と「ｘページ」との異なるキーワードで関連性なしと判断された場合には（ステップＡ６（Ｎｏ））、ＲＡＭ１５内に記録されているこれまでのＵＲＬ接続履歴を遡って現在表示中のページＵＲＬとの比較により目次ページのＵＲＬが検索されＲＡＭ１５内に記録される（ステップＡ１１）。
【００９３】
すると、赤色ＬＥＤ１８Ｒが３回点滅制御されて現在表示中のＷｅｂページが最終ページであることがユーザに報知された後（ステップＡ１２）、前記ＲＡＭ１５内に記録された目次ページのＵＲＬがキー入力部１６における「進む」キー（ボタン）１６ｄ操作時のリンク先ＵＲＬとして予め対応付けられて設定される（ステップＡ１０）。
【００９４】
また一方、前記ステップＡ３において、ページ表示中のＨＴＭＬファイル内にリンクの記述がないと判断された場合には、現在表示中のＷｅｂページＵＲＬ（１５ａ）のファイル名における順序性を示す番号・記号が例えば１順分先送りされて修正され（ステップＡ３→Ａ１３）、このファイル名修正後のＵＲＬをリンク先ＵＲＬとしてＷｅｂページのＨＴＭＬファイルがインターネットＮ上の対応するＷｅｂサーバ２０から先読みされる（ステップＡ１４）。
【００９５】
ここで、前記修正後ＵＲＬに対応するページのＨＴＭＬファイルが読み出され、当該修正後ＵＲＬはリンク先として存在していると判断された場合には（ステップＡ１５（Ｙｅｓ））、例えばそのリンク先ＵＲＬのファイル名に含まれる順序性を示す番号・記号が連番であるか離れているかによって、関連性が高いか否かが判断される（ステップＡ１６）。
【００９６】
ここで、表示中のページＵＲＬに対し当該ＵＲＬの修正により得られたリンク先ＵＲＬの関連性が高いと判断された場合には、緑色ＬＥＤ１８Ｇが３回点滅制御されて適切なリンク先が抽出されたことがユーザ報知されると共に（ステップＡ１６→Ａ１７ａ）、この関連性の高いと判断されたファイル名修正によるリンク先ＵＲＬがＲＡＭ１５内に記録され（ステップＡ１８）、キー入力部１６における「進む」キー（ボタン）１６ｄ操作時のリンク先ＵＲＬとして予め対応付けられて設定される（ステップＡ１０）。
【００９７】
また、前記ステップＡ１６において、表示中のページＵＲＬに対し当該ＵＲＬの修正により得られたリンク先ＵＲＬの関連性が高くないと判断された場合には、緑色ＬＥＤ１８Ｇが１回点滅制御されてある程度適切なリンク先が抽出されたことがユーザ報知されると共に（ステップＡ１６→Ａ１７ｂ）、この関連性の高くないと判断されたファイル名修正によるリンク先ＵＲＬがＲＡＭ１５内に記録され（ステップＡ１８）、キー入力部１６における「進む」キー（ボタン）１６ｄ操作時のリンク先ＵＲＬとして予め対応付けられて設定される（ステップＡ１０）。
【００９８】
一方、前記ステップＡ１５において、修正後ＵＲＬに対応するＷｅｂページへの接続が出来ず、当該修正後ＵＲＬはリンク先として存在していないと判断された場合には（ステップＡ１５（Ｎｏ））、ＲＡＭ１５内に記録されているこれまでのＵＲＬ接続履歴を遡って現在表示中のページＵＲＬとの比較により目次ページのＵＲＬが検索されＲＡＭ１５内に記録される（ステップＡ１１）。
【００９９】
すると、赤色ＬＥＤ１８Ｒが３回点滅制御されて現在表示中のＷｅｂページが最終ページであることがユーザに報知された後（ステップＡ１２）、前記ＲＡＭ１５内に記録された目次ページのＵＲＬがキー入力部１６における「進む」キー（ボタン）１６ｄ操作時のリンク先ＵＲＬとして予め対応付けられて設定される（ステップＡ１０）。
【０１００】
したがって、前記構成の携帯端末機器１０による第２実施形態のＷｅｂページ表示に伴う次ページ割り当て機能によれば、表示中ＨＴＭＬファイルの記述内容から抽出したリンク先ＵＲＬ、または現在のアクセス先ＵＲＬのファイル名に含まれる順番記号を送り修正して取得されたＵＲＬの何れかに対応して先読みされたＷｅｂページのＨＴＭＬファイルについて、表示中ＨＴＭＬファイルとの間で「第ｘ巻」などのキーワードが抽出されてその関連性の有無および順序性が判断されるか、あるいは互いのページＵＲＬに含まれる連番記号の順序性が判断される。そしてその順序性が確認されたＨＴＭＬファイルを有するページＵＲＬあるいは修正ＵＲＬが、後の「進む」キー（ボタン）１６ｄ操作時のリンク先ＵＲＬとして予め対応付けられて設定されるので、表示画面の狭い携帯端末機器１０であっても面倒なスクロール操作などによってリンクボタンを探し出す必要なく、「進む」キー（ボタン）１６ｄの１回操作だけで、現在表示中のＷｅｂページに続く各ページを簡単に且つ順序よく切り換えて表示させることができる。
【０１０１】
なお、前記各実施形態において記載した携帯端末機器１０による各Ｗｅｂページ表示処理の手法、すなわち、図８のフローチャートに示す第１実施形態のＷｅｂページ表示処理、図１２のフローチャートに示す第２実施形態のＷｅｂページ表示に伴う次ページ割り当て処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、Ｗｅｂ接続機能およびブラウザ機能を有する種々のコンピュータ端末は、この外部記憶媒体１３に記憶されたプログラムを本体記憶装置１２に読み込み、この読み込んだプログラムによって動作が制御されることにより、前記各実施形態において説明したＷｅｂページ表示機能およびＷｅｂページ表示に伴う次ページ割り当て機能を実現し、前述した手法による同様の処理を実行することができる。
【０１０２】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）２０から前記のプログラムデータを取り込み、前述したＷｅｂページ表示機能およびＷｅｂページ表示に伴う次ページ割り当て機能を実現することもできる。
【０１０３】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１０４】
【図１】本発明のＷｅｂページ閲覧装置の実施形態に係る携帯端末機器１０の電子回路の構成を示すブロック図。
【図２】前記携帯端末機器１０の外観構成を示す図であり、同図（Ａ）はその正面図、同図（Ｂ）はその右側面図。
【図３】前記携帯端末機器１０のＲＡＭ１５に用意された次ページリンクサーチ用キーワードメモリ１５ｄのデータ内容を示す図。
【図４】前記携帯端末機器１０のＲＡＭ１５に用意された目次ページリンクサーチ用キーワードメモリ１５ｅのデータ内容を示す図。
【図５】前記携帯端末機器１０のＲＡＭ１５に用意されたページ移動操作履歴メモリ１５ｆのデータ内容を示す図。
【図６】前記携帯端末機器１０のブラウザ処理によるブラウザ画面ＢＲに表示されたアクセス先ＵＲＬ[http://www.asio.co.jp/product/a/page003.html]（１５ａ）に対応するＷｅｂページＰ１を示す図。
【図７】前記図６におけるＷｅｂページＰ１を構成しているマークアップ言語であるＨＴＭＬで記述されたＨＴＭＬファイル（１５ｂ）を示す図。
【図８】前記携帯端末機器１０による第１実施形態のＷｅｂページ表示処理における「進む」キーが操作された場合の処理を示すフローチャート。
【図９】前記携帯端末機器１０による第１実施形態のＷｅｂページ表示処理に伴い記憶された複数のＵＲＬが共通のディレクトリを有した場合であって、ディレクトリを省略してファイル名のみを示す図。
【図１０】前記携帯端末機器１０による第１実施形態のＷｅｂページ表示処理に伴いファイル名からは１つのＵＲＬが選択できない場合の抽出ＵＲＬの一例を示す図。
【図１１】前記携帯端末機器１０による第２実施形態のＷｅｂページ表示に伴う次ページ割り当て機能においてＲＡＭ１５に用意されるリンク先読み用キーワード文字列メモリ１５ｈのデータ内容を示す図。
【図１２】前記携帯端末機器１０による第２実施形態のＷｅｂページ表示に伴う次ページ割り当て処理を示すフローチャート。
【符号の説明】
【０１０５】
１０  …携帯端末機器
１１  …制御部（ＣＰＵ）
１２  …記憶装置
１２ａ…システムプログラム
１２ｂ…通信用プログラム
１２ｃ…ブラウザプログラム
１２ｄ…次ページサーチプログラム
１３  …メモリカード（外部記録媒体）
１４  …通信部
１５  …ＲＡＭ
１５ａ…アクセス先ＵＲＬメモリ
１５ｂ…ＷｅｂページＨＴＭＬメモリ
１５ｃ…表示画像メモリ
１５ｄ…次ページリンクサーチ用キーワードメモリ
１５ｅ…目次ページリンクサーチ用キーワードメモリ
１５ｆ…ページ移動操作履歴メモリ
１５ｇ…抽出リンク先ＵＲＬメモリ
１５ｈ…リンク先読み用キーワード文字列メモリ
１６  …キー入力部
１６ｘ…スライドキーボード
１６ａ…「電源」キー
１６ｂ…ブラウザ起動「Ｂ」キー
１６ｃ…カーソルキー
１６ｄ…「進む」キー（ボタン）
１６ｅ…文字・記号キー
１７  …表示部
１８  …ＬＥＤ制御部
１８Ｇ…緑色ＬＥＤ
１８Ｒ…赤色ＬＥＤ
２０  …Ｗｅｂサーバ
Ｎ  …インターネット（通信ネットワーク）
Ｐｘ…前ページリンクボタン
Ｐｙ…次ページリンクボタン
Ｐｚ…目次ページリンクボタン
Ｃｘ…Ｐｘのリンク先ＵＲＬ
Ｃｙ…Ｐｙのリンク先ＵＲＬ
Ｃｚ…Ｐｚのリンク先ＵＲＬ
【図１】
2007011765.tif 000003
【図２】
2007011765.tif 000004
【図３】
2007011765.tif 000005
【図４】
2007011765.tif 000006
【図５】
2007011765.tif 000007
【図６】
2007011765.tif 000008
【図７】
2007011765.tif 000009
【図８】
2007011765.tif 000010
【図９】
2007011765.tif 000011
【図１０】
2007011765.tif 000012
【図１１】
2007011765.tif 000013
【図１２】
2007011765.tif 000014